(57)【要約】【課題】ユーザの嗜好する放送番組を容易に選択できるようにする。【解決手段】外部インタフェース部２１や入力端子２３から供給された画像信号に基づいて画像表示を行うとき、信号処理部２３は、供給された画像信号に基づいてコンテンツの特徴量ＪＶを生成する。制御部５０は、特徴量ＪＶに基づいてコンテンツの分類を行い、この分類結果に基づいてユーザの嗜好性を検出する。デマルチプレクサ１４は、テレビジョン放送信号に多重されている番組情報を抽出する。制御部５０は抽出した番組情報から、コンテンツの分類結果に基づいて判別されたユーザの嗜好性に該当する番組を選択して、この選択した番組を例えば表示部６０の画面に表示することでユーザに通知する。【選択図】        図１
2009055188.tif 000002
【特許請求の範囲】
【請求項１】
テレビジョン放送を受信する放送受信装置において、
テレビジョン放送信号の選局を行うチューナ部と、
外部から入力されたコンテンツの画像信号に基づいて前記コンテンツの特徴量を生成する信号処理部と、
前記テレビジョン放送信号に多重されている番組情報を抽出するデマルチプレクサと、
前記特徴量に基づいて前記コンテンツの分類を行い、該分類結果に基づいて検出した嗜好性に該当する番組を前記番組情報から選択する制御部を有する
ことを特徴とする放送受信装置。
【請求項２】
前記コンテンツの分類結果を蓄積する記憶部を有し、
前記制御部は前記記憶部に蓄積されている分類結果に基づいて前記嗜好性の検出を行う
ことを特徴とする請求項１記載の放送受信装置。
【請求項３】
前記制御部は、前記選択した番組をユーザに通知する選択番組通知処理を行ったのち、ユーザ操作に応じた指示信号によって示された番組を前記チューナ部で選局させる
ことを特徴とする請求項１記載の放送受信装置。
【請求項４】
前記信号処理部は、前記特徴量として画像の輝度と色の分布を示す情報を生成する
ことを特徴とする請求項１記載の放送受信装置。
【請求項５】
テレビジョン放送を受信する放送受信装置の番組選択方法において、
外部から入力されたコンテンツの画像信号に基づいて前記コンテンツの特徴量を生成する情報生成ステップと、
テレビジョン放送信号に多重されている番組情報を抽出する番組情報抽出ステップと、
前記特徴量に基づいて前記コンテンツの分類を行い、該分類結果に基づいて検出した嗜好性に該当する番組を前記番組情報に基づいて選択する番組選択ステップとを有する
ことを特徴とする番組選択方法。
【発明の詳細な説明】
【技術分野】
【０００１】
この発明は、放送受信装置と番組選択方法に関する。詳しくは、ユーザの嗜好に合った番組を自動的に選択するものである。
【背景技術】
【０００２】
テレビジョン放送では、番組情報が多重化されているテレビジョン放送信号を送信して、放送受信装置では、多重化されている番組情報に基づいてＥＰＧ(Electric Program Guide：電子番組表)を提示可能とすることで、所望の番組をユーザが容易に選択できるようになされている。
【０００３】
また、ユーザがＥＰＧを利用して所望の番組を容易に選択することができるように、特許文献１の発明では、ユーザインタフェースからユーザによって入力された嗜好情報を記憶しておき、この記憶された嗜好情報と番組情報とを用いてユーザの嗜好に応じた番組を検索して、検索された番組のリストを推薦番組として表示することが行われている。さらに、特許文献２の発明では、番組視聴履歴データから、視聴者の当該番組 に対する嗜好 度を算出して嗜好データベースに登録および更新して、嗜好度が高い番組から順に番組を提示したり、嗜好度が所定値以上の番組のみを提示することが開示されている。
【０００４】
【特許文献１】特開２００５−２９５５８５号公報
【特許文献２】特開２００５−１６０１１４号公報
【発明の開示】
【発明が解決しようとする課題】
【０００５】
ところで、テレビジョン放送では、種々のカテゴリの番組が放送されており、ユーザが番組を視聴していなくとも放送受信装置で放送信号の受信動作が行われていると、嗜好度はユーザの嗜好を正しく反映したものとならなくなり、ユーザの嗜好に応じた番組の選択が困難となってしまうおそれがある。また、ユーザが嗜好情報を入力するものでは、嗜好情報の入力操作が必要となり、ユーザの嗜好に応じた番組を容易に選択することができない。
【０００６】
また、放送受信装置は、放送番組の受信だけでなく、外部機器例えばパーソナルコンピュータ、ディジタルスチルカメラ、ビデオカメラ、光ディスクや磁気テープ等の記録媒体を用いた記録再生装置、あるいは半導体メモリ等から供給されたコンテンツの画像信号を処理して表示できるように構成されている。このような外部機器から放送受信装置に供給されるコンテンツの画像信号は、ユーザが画像の表示を意図した信号であり、ユーザの嗜好を反映したものとなっている。
【０００７】
そこで、この発明では、ユーザの嗜好する放送番組を容易に選択できる放送受信装置と番組選択方法を提供するものである。
【課題を解決するための手段】
【０００８】
この発明の概念は、外部機器から供給された画像信号に基づいて画像表示を行うとき、どのようなコンテンツの画像であるかを分類して、分類結果に基づいて検出したユーザの嗜好に該当する番組をお勧め番組としてユーザに通知するものである。
【０００９】
この発明に係る放送受信装置は、 テレビジョン放送を受信する放送受信装置において、テレビジョン放送信号の選局を行うチューナ部と、外部から入力されたコンテンツの画像信号に基づいて前記コンテンツの特徴量を生成する信号処理部と、前記テレビジョン放送信号に多重されている番組情報を抽出するデマルチプレクサと、前記特徴量に基づいて前記コンテンツの分類を行い、該分類結果に基づいて検出した嗜好性に該当する番組を前記番組情報から選択する制御部を有するものである。
【００１０】
また、この発明に係る番組選択方法は、テレビジョン放送を受信する放送受信装置の番組選択方法において、外部から入力されたコンテンツの画像信号に基づいて前記コンテンツの特徴量を生成する情報生成ステップと、テレビジョン放送信号に多重されている番組情報を抽出する番組情報抽出ステップと、前記特徴量に基づいて前記コンテンツの分類を行い、該分類結果に基づいて検出した嗜好性に該当する番組を前記番組情報に基づいて選択する番組選択ステップとを有するものである。
【発明の効果】
【００１１】
この発明によれば、外部機器から供給された画像信号に基づいて画像表示を行うとき、どのようなコンテンツの画像であるか分類されて、この分類結果に基づいて検出したユーザの嗜好に該当する番組がお勧め番組としてユーザに通知される。
【００１２】
このため、嗜好情報の入力操作を行わなくとも、また視聴履歴にユーザの嗜好に合わない番組が含まれるような場合が生じても、ユーザの嗜好に応じた番組を自動的に選択することができる。
【発明を実施するための最良の形態】
【００１３】
以下、図を参照しながら、この発明の実施の一形態について説明する。図１は、テレビジョン放送を受信する放送受信装置の概略構成を示している。
【００１４】
放送受信装置１０のアンテナ１１は、テレビジョン放送を受信して得られた放送信号ＲＦをチューナ部１２に供給する。チューナ部１２は、所望のチャンネル（周波数）を選局して得られた中間周波信号ＲＳをディジタル復調部１３に供給する。ディジタル復調部１３は、テレビジョン放送で用いられている変調方式に対応した復調処理例えばＱＦＤＭ復調処理やＱＰＳＫ復調処理等を行い、得られたトランスポートストリームＴＳをデマルチプレクサ１４に供給する。
【００１５】
デマルチプレクサ１４は、トランスポートストリームＴＳに時分割多重されている画像信号ＤＴv、音声信号ＤＴaを分離してデコーダ部２２に供給する。また、番組を選局するための選局情報と番組に関する番組情報を有した情報信号ＤＴcやデータ放送信号ＤＴdを分離して制御部５０に供給する。
【００１６】
外部インタフェース部２１は、外部機器例えばディジタルスチルカメラやビデオカメラあるいは半導体メモリ等を接続するためのインタフェースである。この外部インタフェース部２１にはデコーダ部２２が接続されており、外部機器から供給あるいは読み出した符号化されている画像信号例えばＪＰＥＧ(Joint Photographic Experts Group)やＭＰＥＧ(Moving Picture Experts Group)方法等で符号化されている画像信号ＤＥvをデコーダ部２２に供給する。
【００１７】
デコーダ部２２は、デマルチプレクサ１４から供給された画像信号ＤＴv、あるいは外部インタフェース部２１から供給された画像信号ＤＥvの復号を行い、得られた画像信号ＶＳaを画像切換部３１に供給する。また、デコーダ部２２は、音声信号ＤＴaの復号を行い、得られた音声信号ＡＳaを音声切換部４１に供給する。
【００１８】
画像切換部３１は、入力端子２３が接続されており、この入力端子２３を介して外部機器からコンポジット方式やコンポーネント方式、ＨＤＭＩ(High Definition Multimedia Interface)方式、ＤＶＩ(Digital Visual Interface)方式等の画像信号ＶＳbの入力を行うことができるようになされている。また、画像切換部３１にはオンスクリーン表示処理部３２が接続されており、画像切換部３１は、デコーダ部２２から供給された画像信号ＶＳaあるいは入力端子２３を介して供給された画像信号ＶＳbのいずれかを選択して、画像信号ＶＳcとしてオンスクリーン表示処理部３２に供給する。
【００１９】
オンスクリーン表示処理部３２は、後述する制御部５０からの制御信号ＣＴに基づき、オンスクリーン表示信号を生成する。さらに、オンスクリーン表示信号と画像切換部３１から供給された画像信号ＶＳcを合成して、画像信号ＶＳcに基づく画像にオンスクリーン表示信号に基づく画像を合成した画像の画像信号ＶＳdを生成して信号処理部３３に供給する。
【００２０】
信号処理部３３は、オンスクリーン表示処理部３２から供給された画像信号ＶＳdを用いてインタレース／プログレッシブ変換(Ｉ／Ｐ変換)処理や画素数変換処理等を必要に応じて行う。さらに、処理後の画像信号に対してシャープネス補正や色合い補正、ホワイトバランス補正、ノイズ除去等の画質改善処理を行い、画像信号ＶＳeとして画像出力処理部３４に供給する。
【００２１】
また、信号処理部３３は、画像信号ＶＳdに基づいてコンテンツの特徴量ＪＶを生成する。この特徴量ＪＶは、画像信号ＶＳdがどのようなコンテンツの画像信号であるかを分類するために用いられる情報であり、例えば輝度と色の分布を示す情報である。
【００２２】
画像出力処理部３４には、例えばＬＣＤ（Liquid Crystal Display），ＰＤＰ（Plasma Display Panel），ＥＬ(Electro Luminescence)，陰極線管などの表示デバイスを用いて構成された表示部６０が接続されている。画像出力処理部３４は、画像信号ＶＳeに基づき、表示デバイスを駆動するための表示駆動信号ＤＲvを生成して表示部６０に供給する。このため表示部６０で放送番組や外部から供給された画像信号に基づく画像表示を行うことができる。また、画像出力処理部３４は、外部機器（図示せず）に画像信号を供給するとき、画像信号ＶＳeを外部機器に対応したフォーマットの出力信号Ｖoutとして出力する。
【００２３】
音声切換部４１には、入力端子２４が接続されており、この入力端子２４を介して外部機器から音声信号ＡＳcを入力できるようになされている。また、音声切換部４１には音声出力処理部４２が接続されており、音声切換部４１は、デコーダ部２２から供給された音声信号ＡＳaあるいは入力端子２４を介して供給された音声信号ＡＳbのいずれかを選択して、音声信号ＡＳcとして音声出力処理部４２に供給する。
【００２４】
音声出力処理部４２には、スピーカを用いて構成された音声出力部６５が接続されている。音声出力処理部４２は、音声切換部４１から供給された音声信号ＡＳcを用いて音声処理例えば信号レベル調整や音質調整、ノイズ除去処理等を行い、音声処理後の音声出力信号ＤＲaを音声出力部６５に供給して音声出力を行う。また、音声出力処理部４２は、外部機器（図示せず）に音声信号を供給するとき、音声処理後の信号を外部機器に対応したフォーマットの出力信号Ａoutとして出力する。
【００２５】
制御部５０にはユーザインタフェース部５１や記憶部５２が接続されている。ユーザインタフェース部５１はユーザ操作に応じた操作信号ＰＳを制御部５０に供給するものであり、例えば操作キーやリモートコントロール信号受信部等で構成されている。
【００２６】
記憶部５２は、デマルチプレクサ１４で分離された情報信号ＤＴcで示された情報、例えば番組を選局するための選局情報と番組に関する番組情報等を記憶する。
【００２７】
ディジタル放送では、チューナ部１２で選局される周波数のチャンネル（周波数チャンネルあるいは物理チャンネル）で、複数のサービス（編成チャンネル）を行うことができるように構成されている。このため、選局情報では、周波数チャンネルを指定して選局を行うことにより得られたトランスポートストリームＴＳから編成チャンネル毎に画像信号や音声信号等のパケットを抽出するためのテーブル情報や、所望の番組のパケットが含まれているトランスポートストリームＴＳを得るためにチューナ部１２で選局する周波数チャンネルの周波数を示す周波数情報等が用いられている。
【００２８】
なお、ディジタル放送では、選局情報としてＰＡＴ(Program Association Table)，ＰＭＴ(Program Map Table)，ＮＩＴ(Network Information Table)等の情報が用いられる。ＰＡＴは、トランスポートストリームＴＳ内に含まれる全てのＰＭＴのパケット識別を示すものである。ＰＭＴは、１つの編成チャンネル(サービスチャンネル)を構成する画像や音声等のパケット識別を示すものである。ＮＩＴは、変調周波数など伝送路の情報と放送サービスを関連づける情報を示すものである。
【００２９】
番組情報は、放送される番組の時刻やタイトル、ジャンル、放送内容等の情報を示すものであり、ディジタル放送では、番組情報としてＳＤＴ(Service Description Table)，ＥＩＴ(Event Information Table)等の情報が用いられる。ＳＤＴは、編成チャンネル名、委託放送事業者名など編成チャンネルに関する情報を示すものである。ＥＩＴは、番組の名称、放送日時、内容の説明、カテゴリなど番組に関する情報を示すものである。
【００３０】
また、記憶部５２は、信号処理部３３から供給された特徴量ＪＶに基づいて制御部５０で判別したコンテンツの分類結果を記憶する。
【００３１】
制御部５０は、バス５５を介して上述の各部と接続されている。制御部５０は、ユーザインタフェース部５１からの操作信号ＰＳに基づき、制御信号ＣＴを生成して各部に供給することで、放送受信装置の動作がユーザ操作に応じた動作となるように制御する。例えば、ユーザインタフェース部５１から供給された操作信号ＰＳによって、チャンネル切り換えや入力切り換え等の信号切り換え操作が行われたことが示されたとき、制御部５０は、所望のチャンネルや外部から供給された画像／音声の提示等を行うことができるように、チューナ部１２の選局動作や、デコーダ部２２の復号処理、画像切換部３１および音声切換部４１の切り換え動作等を制御する。例えば、記憶部５２に記憶されている選局情報を用いて、チューナ部１２に対して周波数情報に基づいた選局制御と、デマルチプレクサ１４に対してテーブル情報に基づいたパケット分離制御を行うことで、所望の番組を選局することが可能となる。また、画像切換部３１および音声切換部４１の切り換え動作を制御して、テレビジョン放送だけでなく、外部インタフェース部２１から供給された符号化されている画像信号や入力端子２３から供給された画像信号に基づいた画像表示を行うことが可能となる。また、外部インタフェース部２１に接続された外部機器から符号化されている画像信号の読み出し等も行う。
【００３２】
また、制御部５０は、信号処理部３３から供給された特徴量ＪＶに基づき、外部インタフェース部２１や入力端子２３からどのようなコンテンツの画像信号であるかを分類して、分類結果を記憶部５２に登録させる。また、記憶部５２に記憶された分類結果に基づきユーザの嗜好を判別して、判別したユーザの嗜好性に該当する番組を番組情報から選択する。さらに、オンスクリーン表示処理部３２を制御して、視聴者の好みに合うと判別されたお勧め番組を示すオンスクリーン表示信号を生成して画像信号ＶＳcと合成することで、ユーザにお勧め番組を通知できるようにする。なお、制御部５０は、オンスクリーン表示処理部３２を制御して、電子番組表の表示、番組の検索，予約および内容の確認等や、データ放送信号ＤＴdに基づきデータ放送の画像表示等も行う。
【００３３】
次に、放送受信装置１０における嗜好情報の登録動作と、該嗜好情報に基づいた番組選択動作について説明する。
【００３４】
図２は、嗜好の判別に用いる情報の登録動作を示すシーケンス図である。なお、図２では例えば外部機器から静止画像の符号化されている画像信号ＤＥvを読み出す場合を示している。
【００３５】
外部機器から画像信号ＤＥvを読み出して画像表示を行うために、ステップＳＴ１で外部機器から静止画像の画像信号ＤＥvを読み出すユーザ操作が行われると、ステップＳＴ２でユーザインタフェース部５１からユーザ操作に応じた操作信号ＰＳが制御部５０に供給される。ステップＳＴ３で制御部５０は、供給された操作信号ＰＳに基づき制御信号ＣＴを生成して、外部インタフェース部２１を介して外部機器から画像信号ＤＥvの読み出しを行う。また、制御部５０は、外部機器から読み出した画像信号ＤＥvの復号化処理を行うようにデコーダ部２２を制御する。さらに、制御部５０は、デコーダ部２２から出力された画像信号ＶＳaがオンスクリーン表示処理部３２を介して信号処理部３３に供給されるように画像切換部３１を制御する。
【００３６】
ステップＳＴ４で信号処理部３３は、供給された画像信号ＶＳdに対して画質改善処理等を行い、信号処理後の画像信号ＶＳeを画像出力処理部３４に供給する。画像出力処理部３４は、供給された画像信号ＶＳdに基づき表示駆動信号ＤＲvを生成して表示部６０に供給する。このため、ユーザ操作に応じて外部機器から読み出された静止画像が表示部６０の画面上に表示されることとなる。
【００３７】
ステップＳＴ５で信号処理部３３は、外部機器から読み出した静止画像の画像信号に基づき、コンテンツの分類を行うための特徴量ＪＶ、例えば輝度と色の分布を示す情報を特徴量ＪＶとして生成して制御部５０に供給する。
【００３８】
ステップＳＴ６で制御部５０は、信号処理部３３から供給された特徴量ＪＶに基づき、コンテンツがどのようなカテゴリに属するものであるかの分類を行う。例えば、風景を多く撮影するユーザの場合、空や木々を含む画像が多くなる傾向がある。また、風景を撮影した場合、画像上部には空に相当する青色あるいは雲に相当する白色の領域が含まれる場合が多い。また、画像全体の輝度ムラが少ないような画像が多くなる。したがって、輝度の分布例えば輝度ヒストグラムから画像全体の輝度ムラが少ない画像であるか否かの判別を行い、色の分布例えば色配置と面積から画像上部に空に相当する青色あるいは雲に相当する白色の領域が含まれているか否かを判別して、これらの判別結果に基づき、コンテンツが風景を撮影した画像であるか否かを判別できる。
【００３９】
また、肌色の領域の分布から、人物の撮影状態を推測ことができる。例えば、肌色領域が画像中央に楕円形状として位置している場合、人物の顔を撮影していると推測できる。肌色の領域が円形状に複数並んで分布しているときは、人物が集合している画像であることを推測できる。
【００４０】
また、アニメの画像では、自然物を撮影したときよりも色数や同一色領域における輝度変化が少ないものとなっている。したがって、輝度ヒストグラムや色ヒストグラムからコンテンツがアニメの画像であるか否の判別も可能である。さらに、輝度の分布や色の分布に基づき、スポーツ例えばサッカーやゴルフ，相撲、水泳等のコンテンツの画像であるか分類することも可能である。
【００４１】
このようにして制御部５０は、信号処理部３３から供給された特徴量ＪＶに基づき、コンテンツがどのようなカテゴリに属するものであるかの分類を行い、分類結果を記憶部５２に記憶させる。
【００４２】
ステップＳＴ７で新たな画像信号ＤＥvを読み出すユーザ操作が行われると、ステップＳＴ８でユーザインタフェース部５１からユーザ操作に応じた操作信号ＰＳが制御部５０に供給される。
【００４３】
ステップＳＴ９で制御部５０は、供給された操作信号ＰＳに基づき制御信号ＣＴを生成して、外部インタフェース部２１を介して外部機器から新たな画像信号ＤＥvの読み出しを行う。また、制御部５０は、デコーダ部２２と画像切換部３１を制御して、デコーダ部２２で新たな画像信号ＤＥvの復号化処理を行うことにより得られた画像信号を、オンスクリーン表示処理部３２を介して信号処理部３３に供給させる。
【００４４】
ステップＳＴ１０で信号処理部３３は、ステップＳＴ４と同様な処理を行い、ユーザ操作に応じて外部機器から新たに読み出された静止画像を表示部６０の画面上に表示させる。
【００４５】
ステップＳＴ１１で信号処理部３３は、外部機器から新たに読み出した静止画像の画像信号に基づき、コンテンツの分類を行うための特徴量ＪＶを生成して制御部５０に供給する。
【００４６】
ステップＳＴ１２で制御部５０は、信号処理部３３から供給された特徴量ＪＶに基づき、コンテンツがどのようなカテゴリに属するものであるかの分類を行い、分類結果を記憶部５２に記憶させる。
【００４７】
このように、ユーザ操作に応じて表示する静止画像の切り換えを行うものとすれば、表示された静止画像がどのようなコンテンツであるか分類されて、分類結果が記憶部５２に順次記憶されることとなる。なお、分類結果は外部インタフェース部を介して読み出した画像信号に基づいて生成される場合に限られるものではなく、入力端子２３から供給された画像信号に基づいて特徴量ＪＶを生成して、この特徴量ＪＶからコンテンツの分類を行って得られた分類結果を記憶部５２に記憶させるものとしてもよい。
【００４８】
図３は、番組選択動作を示すシーケンス図である。放送番組を視聴するために、ステップＳＴ２１で放送受信装置の動作を開始させるユーザ操作が行われると、ステップＳＴ２２でユーザインタフェース部５１からユーザ操作に応じた操作信号ＰＳが制御部５０に供給される。ステップＳＴ２３で制御部５０は、供給された操作信号ＰＳに基づき、放送番組を視聴できるように制御信号ＣＴを生成して各部の動作を開始させる。
【００４９】
ステップＳＴ２４で制御部５０は、お勧め番組検索処理を行う。ここで、図２に示す登録動作を行った場合、記憶部５２には、外部機器から読み出した画像信号等の分類結果が記憶されている。このため、制御部５０は記憶部５２に記憶されている分類結果からユーザの嗜好を判別して、ユーザの嗜好性に該当する番組をお勧め番組として選択する。例えば、制御部５０は、記憶部５２に記憶されている分類結果をカテゴリ毎に分けて、最も分類結果の数が多いカテゴリをユーザの嗜好するカテゴリと判別する。さらに、電子番組表の情報で示されている番組から、ユーザの嗜好するカテゴリとカテゴリが一致する番組を選択してお勧め番組とする。
【００５０】
ステップＳＴ２５で制御部５０はお勧め番組通知処理を行う。制御部５０は、オンスクリーン表示処理部３２を制御して、ステップＳＴ２４で選択したお勧め番組の一覧表示を示すオンスクリーン表示画像の画像信号と画像信号ＶＳcを合成して画像信号ＶＳdとして信号処理部３３に供給させる。
【００５１】
ステップＳＴ２６で画像出力処理部３４は、供給された画像信号ＶＳeに基づき表示駆動信号ＤＲvを生成して表示部６０に供給する。このため、ユーザの嗜好にあったお勧め番組を表示部６０の画面上に一覧表示することができる。
【００５２】
図４は、お勧め番組の表示画面を例示している。画面上の表示領域ＡＲaには、判別されたユーザの嗜好、例えばユーザの好みであると判別されたカテゴリを表示する。また、表示領域ＡＲbには、ユーザの嗜好性に該当する番組を一覧表示する。例えば、放送日時とチャンネル、番組名等を一覧表示する。
【００５３】
ステップＳＴ２７で視聴番組を決定するユーザ操作が行われると、ステップＳＴ２８でユーザインタフェース部５１からユーザ操作に応じた操作信号ＰＳが制御部５０に供給される。
【００５４】
ステップＳＴ２９で制御部５０は、供給された操作信号ＰＳに基づき、ユーザが決定した番組が選局されるように制御信号ＣＴを生成してチューナ部１２やデマルチプレクサ１４等に供給する。
【００５５】
ステップＳＴ３０でチューナ部１２は、制御部５０から供給された制御信号ＣＴに基づき、ユーザが決定した番組が放送される周波数チャンネルを選局する。また、デマルチプレクサ１４は、ユーザが決定した番組の画像や音声のパケットデータを抽出してデコーダ部２２に供給させる。デコーダ部２２で復号化処理を行うことにより得られた画像信号ＶＳaは、画像切換部３１やオンスクリーン表示処理部３２、信号処理部３３、画像出力処理部３４を介して表示部６０に供給される。このため、ユーザの決定した番組の画像を表示部６０で表示させることができる。なお、デコーダ部２２で復号化処理を行うことにより得られた音声信号ＡＳaは音声切換部４１や音声出力処理部４２を介して音声出力部６５に供給されるので、ユーザの決定した番組の音声が音声出力部６５から出力されることとなる。
【００５６】
また、お勧め番組から視聴番組を選択するだけでなく、お勧め番組の表示を利用して番組の録画予約を行うものとしてもよい。さらに、お勧め番組から視聴番組予約を行い、番組視聴中であっても予約した番組の放送時刻となったときには自動的にチャンネル切換を行って予約した番組を自動的に視聴できるようにしてもよい。
【００５７】
このようにすれば、ユーザが意図して表示させた画像に応じてユーザの嗜好が判別されて、この判別結果に基づきお勧め番組が表示されるので、嗜好情報の入力操作を行わなくとも、ユーザの嗜好に合った番組を自動的に選択できるようになる。また、ユーザが番組を視聴しておらず、嗜好に合わない番組が放送受信装置で受信されたことにより視聴履歴にユーザの嗜好に合わない番組が含まれるような場合であっても、ユーザの嗜好に合った番組をお勧め番組として正しく選択することができる。
【図面の簡単な説明】
【００５８】
【図１】放送受信装置の構成を示す図である。
【図２】嗜好情報の登録動作を示すシーケンス図である。
【図３】嗜好情報に基づいた番組選択動作を示すシーケンス図である。
【図４】お勧め番組の表示画面例である。
【符号の説明】
【００５９】
１０・・・放送受信装置、１１・・・アンテナ、１２・・・チューナ部、１３・・・ディジタル復調部、１４・・・デマルチプレクサ、２１・・・入力インタフェース部、２２・・・デコーダ部、２３，２４・・・入力端子、３１・・・画像切換部、３２・・・オンスクリーン表示処理部、３３・・・信号処理部、３４・・・画像出力処理部、４１・・・音声切換部、４２・・・音声出力処理部、５０・・・制御部、５１・・・ユーザインタフェース部、５２・・・記憶部、５５・・・バス、６０・・・表示部、６５・・・音声出力部
【図１】
2009055188.tif 000003
【図２】
2009055188.tif 000004
【図３】
2009055188.tif 000005
【図４】
2009055188.tif 000006